【手続補正書】
【提出日】平成20年10月30日(2008.10.30)
【手続補正１】
【補正対象書類名】特許請求の範囲
【補正対象項目名】全文
【補正方法】変更
【補正の内容】
【特許請求の範囲】
【請求項１】
熱可塑性ポリマーアロイのフィルムまたはシートを形成する方法であって、ポリマー物質Ｐ１およびポリマー物質Ｐ２の密接混合物が形成され、ブレンドはダイを通って押し出され、押出されたフィルムは押出後に延伸され、ダイを通る流路が出口ギャップを有する出口オリフィスを含み、出口オリフィスの上流に、混合物が通過する１つまたは複数のグリッドを含むグリッドチャンバーが提供され、該１つまたは複数のグリッドは、流れの主表面に垂直な長さ方向の断面において少なくとも４つの近接して配置されたラメラを有し、該ラメラは流れ方向に数ミリ伸びた壁を有し、それらは間隔を置いて相互に連結され、流れの方向に垂直な断面においてそれらはネットワークを形成し、前記の間隔はそれぞれのラメラ対の間の距離よりも実質的に長く、１つまたは複数のグリッドがラメラの間に有する開口のサイズはブレンド内のＰ１またはＰ２の分散された相の平均サイズを減少させるように選択され、１つまたは複数のグリッドはチャンバー内に位置し、ギャップは前述の出口ギャップより広く、グリッドチャンバーはさらにスクリーンとダイ出口の間にギャップ低減部分をさらに含み、混合物がそれを通って流れるギャップがダイ出口のギャップへの通路の少なくとも一部で減少される、熱可塑性ポリマーアロイのフィルムまたはシートを形成する方法。
【手続補正２】
【補正対象書類名】明細書
【補正対象項目名】００４０
【補正方法】変更
【補正の内容】
【００４０】
図２において、ラメラ（３０５）は、傾斜せず、チャンバーの主表面と平行である。ラメラ間の連結部（３０７と３０８）はフィルムを通り抜けるダイ−ラインを直接回避するように配置される。
本発明は以下の発明をその実施態様として含む。
請求項１：  熱可塑性ポリマーアロイのフィルムまたはシートを形成する方法であって、ポリマー物質Ｐ１およびポリマー物質Ｐ２の密接混合物が形成され、ブレンドはダイを通って押し出され、押出されたフィルムは押出後に延伸され、ダイを通る流路が出口ギャップを有する出口オリフィスを含み、出口オリフィスの上流に、混合物が通過する１つまたは複数のグリッドを含むグリッドチャンバーが提供され、該１つまたは複数のグリッドは、流れの主表面に垂直な長さ方向の断面において少なくとも４つの近接して配置されたラメラを有し、該ラメラは流れ方向に数ミリ伸びた壁を有し、それらは間隔を置いて相互に連結され、流れの方向に垂直な断面においてそれらはネットワークを形成し、前記の間隔はそれぞれのラメラ対の間の距離よりも実質的に長く、１つまたは複数のグリッドがラメラの間に有する開口のサイズはブレンド内のＰ１またはＰ２の分散された相の平均サイズを減少させるように選択され、１つまたは複数のグリッドはチャンバー内に位置し、ギャップは前述の出口ギャップより広く、グリッドチャンバーはさらにスクリーンとダイ出口の間にギャップ低減部分をさらに含み、混合物がそれを通って流れるギャップがダイ出口のギャップへの通路の少なくとも一部で減少される、熱可塑性ポリマーアロイのフィルムまたはシートを形成する方法。
請求項２：  前記の間隔が、それぞれのラメラの対の間の距離の少なくとも２倍、好ましくは少なくとも３倍、より好ましくは少なくとも５倍である、請求項１記載の方法。
請求項３：  ラメラが平坦か、またはわずかに曲げられ、グリッドに入る時の流れの主境界に対して傾斜し、これらの境界と約１０から約７０度の間の角度を形成する、請求項１記載の方法。
請求項４：  相互に異なる方向に傾斜する少なくとも２つのグリッドが存在する、請求項３記載の方法。
請求項５：  ラメラがグリッドに入る時の流れの主境界と平行であり、各ラメラの相対する側の連結が互いに異なる箇所に配置される、請求項１記載の方法。
請求項６：  グリッドチャンバーが少なくとも２つのグリッドＳおよびＴを含み、ＳはＴの直接上流にあり、該グリッドはグリッドＳのラメラによって形成された流れ中のそれぞれのダイ−ラインが、グリッドＴ中の一対のまたは隣接するラメラの間の空間の中間となるように配置される、請求項１記載の方法。
請求項７：  ブレンド中にＰ１が重量で、５から７５％、好ましくは１０から６０％、より好ましくは２０から５０％の量で存在する、請求項１から６のいずれか１項記載の方法。
請求項８：  Ｐ１が少なくとも０．１、好ましくは約０．５のＭＦＩを有している、請求項１から７のいずれか１項記載の方法。
請求項９：  Ｐ１がプロピレン（コ）ポリマー、ポリアミド、エチレン−ビニルアルコールコポリマー、ビニリデン（コ）ポリマーおよびポリエステル類から選択され、Ｐ２が主としてオレフィンポリマーを含む、請求項１から８のいずれか１項記載の方法。
請求項１０：  Ｐ２がプロピレン（コ）ポリマーまたはエチレン（コ）ポリマーである、請求項９記載の方法。
請求項１１：  Ｐ２が未延伸の状態で、２０℃において、Ｐ１の弾性率（Ｅ）よりも少なくとも１５％小さい弾性率を示す、請求項１から１０のいずれか１項記載の方法。
請求項１２：  １以上の物質がダイを通って、ポリマーアロイの１つまたは両方の表面上に共押出される、請求項１から１１のいずれか１項記載の方法。
請求項１３：  共押出された物質はフィルムまたはシートの１つまたは両方のそれぞれの表面にヒートシール層を形成する、請求項１２記載の方法。
請求項１４：  押出後のフィルムの延伸が、少なくともＰ１が固形化する温度へのフィルムの冷却後に行なわれる、請求項１から１３のいずれか１項記載の方法。
請求項１５：  延伸がＰ１のフィブリルの方向の横方向に行われ、好ましくはフィルムがフィブリルの方向に収縮することが許容される、請求項１４記載の方法。
請求項１６：  フィルムまたはシートを形成するための熱可塑性物質の押出装置であって、溶融物質がそれを通る出口オリフィスを有するダイ、押出された後に物質を延伸するための延伸手段を含み、出口オリフィスからの上流にグリッドチャンバーが提供され、グリッドチャンバーは押出物が通過する、１つ（３０１）またはさらなる（３０２）グリッドを含み、１つまたは複数のグリッドはチャンバー内で出口オリフィスギャップよりも広いギャップを有する位置に配置され、グリッドチャンバーはさらに１つまたは複数のグリッドとダイ出口の間にギャップ減少部分をさらに含み、ギャップは出口オリフィスのギャップへの流路の少なくとも一部で減少され、１つまたは複数のグリッドは流れの主表面に垂直な長さ方向の断面において少なくとも４つの近接して配置されたラメラ（３０３）を有し、該ラメラは流れの方向に数ミリ伸びた壁を有し、流れの方向に垂直な断面において間隔を置いて内部連結されて（３０６）ネットワークを形成し、前記の間隔は、各対のラメラ間の距離より本質的に長い。
請求項１７：  前記の間隔は、各対のラメラ間の距離の少なくとも２倍、好ましくは少なくとも３倍、より好ましくは少なくとも５倍の距離を有する、請求項１６記載の装置。
請求項１８：  ラメラが、平らかまたはわずかに曲げられ、グリッドに入る時の流れの主境界に対して傾いており、これらの境界に対して約１０から約７０度の角度を形成する、請求項１６記載の装置。
請求項１９：  相互に異なる方向に傾斜する少なくとも２つのグリッドを有する、請求項１８記載の装置。
請求項２０：  流れがグリッドに入るときに、ラメラは流れの主境界と平行であり、各ラメラの相対する側の連結部分が互いに異なる箇所に配置される、請求項１６記載の装置。
請求項２１：  グリッドチャンバーが少なくとも２つのグリッドＳおよびＴを含み、ＳはＴの直接上流にあり、該グリッドは下流のグリッドＴの各ラメラが、押出物の流れに垂直な方向において上流のグリッドＳの隣接する一対のラメラの間の中間に位置するように配置される、請求項１６記載の装置。
請求項２２：  ダイが第２の熱可塑性の物質を押出し、第１の熱可塑性物質の１つまたは両方の表面の上に層を形成するための手段を含む、請求項１６記載の装置。
請求項２３：  延伸手段が機械方向にフィルムまたはシートを延伸する、請求項１６記載の装置。
請求項２４：  延伸手段が延伸方向の横方向でのフィルムの収縮を許容するための手段を有する、請求項１６記載の装置。
請求項２５：  出口オリフィスと延伸手段の間に冷却手段を含む、請求項１６記載の装置。
請求項２６：  熱可塑性ポリマーアロイのフィルムまたはシートを形成する方法であって、ポリマー物質Ｐ１およびポリマー物質Ｐ２の密接混合物が形成され、ブレンドはダイを通って押し出され、押出されたフィルムは押出後に延伸され、ダイを通る流路が出口ギャップを有する出口オリフィスを含み、
出口オリフィスの上流に、混合物が通過する少なくとも２つのグリッドＳおよびＴ、ここでＳはＴの直接上流にある、を含むグリッドチャンバーが提供され、該グリッドは、流れの主表面に垂直な長さ方向の断面において少なくとも４つの近接して間隔をおいて配置されたラメラを有し、該ラメラは流れ方向に数ミリ伸びた壁を有し、ラメラの開口のサイズはブレンド内のＰ１またはＰ２の分散された相の平均サイズを減少させるように選択され、グリッドはギャップが前述の出口ギャップより広いチャンバー内の場所に位置し、グリッドチャンバーはさらにスクリーンとダイ出口の間にギャップ低減部分をさらに含み、混合物がそれを通って流れるギャップがダイ出口のギャップへの通路の少なくとも一部で減少され、
該グリッドはグリッドＳのラメラによって形成された流れ中のそれぞれのダイ−ラインが、グリッドＴ中の一対のまたは隣接するラメラの間の空間の中間となるように配置される、熱可塑性ポリマーアロイのフィルムまたはシートを形成する方法。
請求項２７：  フィルムまたはシートを形成するための熱可塑性物質の押出装置であって、溶融物質がそれを通る出口オリフィスを有するダイ、押出された後に物質を延伸するための延伸手段を含み、出口オリフィスからの上流にグリッドチャンバーが提供され、グリッドチャンバーは押出物が通過する、２またはより多くのグリッドを含み、１つまたは複数のグリッドはチャンバー内で出口オリフィスギャップよりも広いギャップを有する位置に配置され、グリッドチャンバーはさらにグリッドの間にギャップ減少部分をさらに含み、ギャップは出口オリフィスのギャップへの少なくとも一部で減少され、前記の少なくとも２つのグリッドＳおよびＴにおいて、ＳはＴのすぐ上流にあり、グリッドはグリッドＳのラメラによって形成された流れの中のそれぞれのダイ−ラインが、一対のまたはグリッドＴ中の隣接したラメラの間のスペースの真中になるように配置される装置。